(57)【特許請求の範囲】
【請求項１】
キャビネットの内部に前方に突出する段部を設け、上記段部の上面と前面には上面点検口と前面点検口とを形成し、上記両点検口を着脱可能な蓋体により塞ぐ流し台や洗面化粧台のキャビネットであって、
前記蓋体を基板の一方の面に前記上面点検口を塞ぐ蓋体と前面点検口を塞ぐ蓋体の何れか一方を係止する第１係止部を設け、基板の他方の面には前記上面点検口を塞ぐ蓋体と前面点検口を塞ぐ蓋体の何れか他方を係止する第２係止部を設けた係止具により係止することを特徴とする流し台や洗面化粧台のキャビネット。
【請求項２】
キャビネットの内部に前方に突出する段部を設け、上記段部の上面と前面には上面点検口と前面点検口とを形成した流し台や洗面化粧台のキャビネットの上記両点検口を着脱可能に塞ぐ蓋体の係止具であって、基板の一方の面に前記上面点検口を塞ぐ蓋体と前面点検口を塞ぐ蓋体の何れか一方を係止する第１係止部を設け、基板の他方の面には前記上面点検口を塞ぐ蓋体と前面点検口を塞ぐ蓋体の何れか他方を係止する第２係止部を設けたことを特徴とする流し台や洗面化粧台のキャビネットの点検口を塞ぐ蓋体の係止具。
【請求項３】
第１係止部は基板の一方の面から立設する一対の挟持片の間隔により形成され、第２係止部は基板の他方の面と、当該他方の面に設けた係止片との間隔により形成され、上記第１係止部と第２係止部とは直交する方向に開口することを特徴とする請求項２に記載の流し台や洗面化粧台のキャビネットの点検口を塞ぐ蓋体の係止具。
【請求項４】
第１係止部は上面点検口を塞ぐ蓋体と前面点検口を塞ぐ蓋体の何れか一方と、段部において上面点検口と前面点検口との間に形成される桟部とを受容可能な間隔に形成され、第２係止部は上面点検口を塞ぐ蓋体と前面点検口を塞ぐ蓋体の何れか他方を受容可能な間隔に形成されていることを特徴とする請求項３に記載の流し台や洗面化粧台のキャビネットの点検口を塞ぐ蓋体の係止具。
【発明の詳細な説明】
【技術分野】
【０００１】
本発明は、キャビネットの内部に形成された点検口を係止具を用いて着脱可能な蓋体で塞ぐようにした流し台や洗面化粧台のキャビネットとその点検口を塞ぐ蓋体の係止具に関する。
【背景技術】
【０００２】
一般に、この種の点検口の蓋体は、一枚の板状のもので構成されており、点検口への取り付けは、蓋体をキャビネットの背板に設けられた点検口を塞ぐように被せ、この状態で蓋体の周囲を点検口の周囲の背板にねじで止めたり、あるいは、断面略Ｓ字形の取付具を用いて、蓋体を点検口に係止保持することによりなされていた。
【０００３】
この取付具を用いて蓋体を前面に取付る場合は、取付具の深い係止溝を利用して、点検口の対向する上下端縁に差し込んでおく。そして、蓋体の一端を一方の端縁に装着した取付具の浅い係止溝に差し込んで、この状態で蓋体の他端を点検口側に押し付ける。次に他方の端縁に装着した取付具を移動すれば、この取付具の係止溝に蓋体の他端が係合し、このようにして上下の取付具で蓋体が点検口の前側に保持されるものである。（例えば、特許文献１参照）
【特許文献１】特許第２９６１５０２号公報
【発明の開示】
【発明が解決しようとする課題】
【０００４】
上述した従来の点検口の蓋体をねじ止めにより固定する場合は、点検口が設けられた対象物側に、予めねじをねじ込み保持するための補強桟を取り付けておかなくてはならず、余分な部材を要すると共に、その取り付けの手間も要し、このことが生産性の低下を招くと共にコストアップの要因になるという問題があった。
【０００５】
また、後者の取付具を用いて蓋体を固定する場合は、蓋体を取り付けるために複数の取付具が必要であり、取付具の管理が煩雑になるという問題があった。
【０００６】
本発明は、キャビネットの内部に前方に突出して段部が設けられた流し台や洗面化粧台において、上記段部の点検口の蓋体をドライバー等の工具を使うことなく係止具を用いて取り付けることができる構成の流し台や洗面化粧台のキャビネットとその点検口を塞ぐ蓋体の係止具を提供するものである。
【課題を解決するための手段】
【０００７】
前記課題を解決するために請求項１記載の発明は、キャビネットの内部に前方に突出する段部を設け、上記段部の上面と前面には上面点検口と前面点検口とを形成し、上記両点検口を着脱可能な蓋体により塞ぐ流し台や洗面化粧台のキャビネットであって、前記蓋体を基板の一方の面に前記上面点検口を塞ぐ蓋体と前面点検口を塞ぐ蓋体の何れか一方を係止する第１係止部を設け、基板の他方の面には前記上面点検口を塞ぐ蓋体と前面点検口を塞ぐ蓋体の何れか他方を係止する第２係止部を設けた係止具により係止することを特徴とする流し台や洗面化粧台のキャビネットである。
【０００８】
また、請求項２記載の発明は、キャビネットの内部に前方に突出する段部を設け、上記段部の上面と前面には上面点検口と前面点検口とを形成した流し台や洗面化粧台のキャビネットの上記両点検口を着脱可能に塞ぐ蓋体の係止具であって、基板の一方の面に前記上面点検口を塞ぐ蓋体と前面点検口を塞ぐ蓋体の何れか一方を係止する第１係止部を設け、基板の他方の面には前記上面点検口を塞ぐ蓋体と前面点検口を塞ぐ蓋体の何れか他方を係止する第２係止部を設けたことを特徴とする流し台や洗面化粧台のキャビネットの点検口を塞ぐ蓋体の係止具である。
【０００９】
また、請求項３記載の発明は、第１係止部は基板の一方の面から立設する一対の挟持片の間隔により形成され、第２係止部は基板の他方の面と、当該他方の面に設けた係止片との間隔により形成され、上記第１係止部と第２係止部とは直交する方向に開口することを特徴とする請求項２に記載の流し台や洗面化粧台のキャビネットの点検口を塞ぐ蓋体の係止具である。
【００１０】
また、請求項４記載の発明は、第１係止部は上面点検口を塞ぐ蓋体と前面点検口を塞ぐ蓋体の何れか一方と、段部において上面点検口と前面点検口との間に形成される桟部とを受容可能な間隔に形成され、第２係止部は上面点検口を塞ぐ蓋体と前面点検口を塞ぐ蓋体の何れか他方を受容可能な間隔に形成されていることを特徴とする請求項３に記載の流し台や洗面化粧台のキャビネットの点検口を塞ぐ蓋体の係止具である。
【発明の効果】
【００１１】
本発明は、キャビネットの出荷時に、蓋体をねじ止めする必要がないし、また、上面と前面の点検口を開放状態にして目視しながらキャビネットを動かして、建物側に配置された配管設備を両点検口から多少突出させながら位置合わせできるから、キャビネットの設置が容易である。
【００１２】
また、本発明は、一つの係止具を用いて段部の上面と前面に設けられた２つの点検口の各蓋体を共に着脱可能に取付ることができるので、各蓋体にねじ止め用の下穴等の加工が不要である。また、係止具によりドライバー等の工具を使うことなく、点検口蓋が脱着でき、作業効率のよいものである。
【発明を実施するための最良の形態】
【００１３】
以下、実施例を示す図面に基づいて本発明を詳細に説明する。
【実施例１】
【００１４】
図１は、本発明の実施例１の概略断面図、図２は、本発明の係止具の斜視図、図３（ａ）〜（ｄ）は、それぞれ、図２の係止具の平面図、正面図、背面図、底面図で中間部を省略してある。また、図３（ｅ）は、図３（ｂ）のＡ−Ａ線拡大断面図である。また、図４（ａ）〜（ｅ）は、それぞれ、図２の係止具の平面図、正面図、背面図、底面図、断面図、右側面図で縦横寸法比率を実際の製品に合わせてある。図５及び図６は図１における上蓋体、前蓋体の取り付け手順を説明するための概略断面図である。
【００１５】
図１において、流し台１は、キャビネット２の内部に前方に突出して箱状の段部３が設けられている。段部３の上面と前面には、建物側に配置された設備との間で給水管や給湯管、あるいは排水管との接続工事を行ったり、あるいはその点検、補修を行うための上面点検口４と前面点検口５が設けられている。段部３において、両点検口４，５は略直角に配置されている。そして、両点検口４，５が直角に連続する角辺に沿って、断面が長方形をした長尺な角材が幅方向を垂直に、長手方向を水平にした状態で固定されて、上面点検口４と前面点検口５との間に長尺な角材による桟部６が形成されている。桟部６は、図示しないが左右の側板に固定されており、上面点検口４と前面点検口５との間を仕切っている。また、板状の上蓋体７と前蓋体８が、係止具９を用いて略直角に連結され、それぞれ、上面点検口４と前面点検口５を覆って桟部６に着脱可能に設けられている。
【００１６】
次に、図２、図３（ａ）〜（ｅ）、及び図４（ａ）〜（ｅ）を参照して係止具９の構造について説明する。
【００１７】
係止具９は、長尺であって、基板９ａの一方の面（表面）において、長手方向の両側縁に沿って弾性を有する一対の挟持片９ｂ，９ｃが立設され、基板９ａの一方の面を底面として挟持片９ｂ，９ｃの間隔により第１係止部９ｄが形成されている。この第１係止部９ｄは、上蓋体７と前蓋体８の何れか一方と桟部６とを重ねた状態で受容可能な間隔に形成されている。
【００１８】
また、係止具９は、基板９ａの他方の面（裏面）において、長手方向の片側縁に沿って弾性を有し途中から鉤状に曲がって先端が基板９ａと並行となるように形成された係止片９ｅが立設されて、上記他方の面と他方の面に設けた係止片９ｅとの間隔により第２係止部９ｆが成形されている。第２係止部９ｆは、基板９ａの他方の面を側面として、上蓋体７と前蓋体８の何れか他方を受容可能な間隔に形成されている。
【００１９】
また、係止具９の第１係止部９ｄは、挟持片９ｂ，９ｃの先端が途中から外側に僅かに折れ曲がった跳ね出し部９ｂ１，９ｃ１が設けられて第１係止部９ｄ部の入りロを広くしている。さらに、挟持片９ｂ，９ｃの跳ね出し部９ｂ１，９ｃ１の奥側における内面には、長手方向に沿って複数のＶ溝が並行に連続して設けられた滑り止め部９ｇが設けられ、蓋体７又は蓋体８が容易には外れないように形成されている。上記第１係止部９ｄと第２係止部９ｆは、互いに直交する方向に開口して形成されている。
【００２０】
次に、図５及び図６を参照して段部３における上面点検口４と前面点検口５の構造について説明する。
【００２１】
上記桟部６は、上面点検口４における手前側の蓋受け部となっている。上面点検口４の桟部６と対向位置にあるキャビネット２の背面板２ａには、断面が長方形をした長尺な受け材１１が水平に取り付けられ、桟部６と所定間隔離間して並行配置され、上面点検口４の奥側の蓋受け部が形成されている。受け材１１は、キャビネット２の前面側に開口して長手方向に沿う直線状の係合溝１１ａが設けられている。
【００２２】
また、上記桟部６は、前面点検口５における上側の蓋受け部となっている。前面点検口５の桟部６と対向位置にあるキャビネット２の底面部には、断面が長方形をした長尺な受け材１２が固定され、桟部６と所定間隔離間して並行配置され、前面点検口５の下側の蓋受け部が形成されている。受け材１２は、キャビネット２の上面側に開口して長手方向に沿う係合溝１２ａが設けられている。
【００２３】
次に、上蓋体７と前蓋体８の取り付け手順を説明する。先ず、上蓋体７の手前側の一辺に沿う縁部７ａを係止具９の第２係止部９ｆに嵌合し、その後、上蓋体７の奥側の一辺に沿う縁部７ｂを受け材１１の係合溝１１ａに挿入する。次に、前蓋体８の下側の一辺に沿う縁部８ｂを受け材１２の係合溝１２ａに挿入する。そして、前蓋体８の上側の一辺に沿う縁部８ａを桟部６に面を合わせて重ねた状態で保持し、前蓋体８を桟部６とともに係止具９の第１係止部９ｄに嵌合して、上蓋体７と前蓋体８の両方を、係止具９を用いて桟部６に固定する。
【実施例２】
【００２４】
図７は本発明の実施例２の概略断面図である。実施例２が実施例１と異なる点は、段部３において、点検口４，５が直角に連続する角辺に沿って固定される断面が長方形をした長尺な角材が、長手方向を垂直に、幅方向を水平にした状態で固定されて桟部６ａを形成している点と、桟部６ａが固定された状態では、桟部６が固定された状態における角材の水平方向と垂直方向の比率が、略逆の比率となり、前面点検口５ａが実施例１の前面点検口５より上下方向の間隔が広く構成された点、及び、上面点検口４ａが実施例１の上面点検口４より前後方向の間隔が狭く構成された点である。
【００２５】
次に、上蓋体７と前蓋体８の取り付け手順を説明する。先ず、前蓋体８の上側の一辺に沿う縁部８ａを係止具９の第２係止部９ｆに嵌合し、その後、前蓋体８の下側の一辺に沿う縁部８ｂを受け材１２の係合溝１２ａに挿入する。次に、上蓋体７の奥側の一辺に沿う縁部７ｂを受け材１１の係合溝１１ａに挿入する。そして、上蓋体７の手前側の一辺に沿う縁部７ａを桟部６に面を合わせて重ねた状態で保持し、上蓋体７を桟部６とともに係止具９の第１係止部９ｄに嵌合して、上蓋体７と前蓋体８の両方を、係止具９を用いて桟部６に固定する。
【００２６】
本発明は、上記の実施例１、２において、流し台のキャビネットを例にとって説明したが、キャビネットの内部に前方に突出して段部が設けられ、その段部に上面点検口と前面点検口を有する構成の洗面化粧台のキャビネットにも適用できる。
【００２７】
以上説明したように、本発明は、キャビネットの内部に前方に突出する段部を設け、上記段部の上面と前面には上面点検口と前面点検口とを形成し、上記両点検口を係止具を用いて着脱可能な蓋体により塞ぐように構成したから、キャビネットの出荷時に、蓋体をねじ止めする必要がないし、また、上面と前面の点検口を開放状態にして目視しながらキャビネットを動かして、建物側に配置された配管設備を両点検口から多少突出させながら位置合わせできるから、キャビネットの設置が容易である。
【００２８】
また、本発明の係止具は、各蓋体、若しくは各蓋体を点検口に取付ける部品に下穴等の加工を不要にするものであり、ドライバー等の工具を使うことなく、一つの部品で上蓋体、前蓋体を着脱可能に点検口に取付けることができるものである。
【図面の簡単な説明】
【００２９】
【図１】本発明の実施例１の概略断面図である。
【図２】本発明の係止具の斜視図である。
【図３】（ａ）は図２の係止具の中間部を省略した平面図である。  （ｂ）は図２の係止具の中間部を省略した正面図である。  （ｃ）は図２の係止具の中間部を省略した背面図である。  （ｄ）は図２の係止具の中間部を省略した底面図である。  （ｅ）は図３（ｂ）のＡ−Ａ線拡大断面図である。
【図４】（ａ）は図２の係止具の縦横寸法比率を実際の製品に合わせた平面図である。  （ｂ）は図２の係止具の縦横寸法比率を実際の製品に合わせた正面図である。  （ｃ）は図２の係止具の縦横寸法比率を実際の製品に合わせた背面図である。  （ｄ）は図２の係止具の縦横寸法比率を実際の製品に合わせた底面図である。  （ｅ）は図２の係止具の縦横寸法比率を実際の製品に合わせた右側面図である。
【図５】図１における上蓋体、前蓋体の取り付け手順を説明するための概略断面図である。
【図６】図１における上蓋体、前蓋体の取り付け手順を説明するための概略断面図である。
【図７】本発明の実施例２の概略断面図である。
【符号の説明】
【００３０】
１  流し台
２  キャビネット
２ａ  背面板
３  段部
４，４ａ  上面点検口
５，５ａ  前面点検口
６，６ａ  桟部
７  上蓋体
７ａ  上蓋体の手前側の一辺に沿う縁部
７ｂ  上蓋体の奥側の一辺に沿う縁部
８  前蓋体
８ａ  前蓋体８の上側の一辺に沿う縁部
８ｂ  前蓋体８の下側の一辺に沿う縁部
９  係止具
９ａ  基板
９ｂ，９ｃ  挟持片
９ｂ１，９ｃ１  跳ね出し部
９ｄ  第１係止部
９ｅ  係止片
９ｆ  第２係止部
９ｇ  滑り止め部
１１，１２  受け材
１１ａ，１２ａ  係合溝
【図１】
0004988491.tif 000002
【図２】
0004988491.tif 000003
【図３】
0004988491.tif 000004
【図４】
0004988491.tif 000005
【図５】
0004988491.tif 000006
【図６】
0004988491.tif 000007
【図７】
0004988491.tif 000008